(57)【要約】  コア（１１）と、コア（１１）の周囲に配置されたコイル（１２）と、コア（１１）およびコイル（１２）を収容した金属製のケース（１４）とを備え、磁気カード（２０）の磁気ストライプ（２０ｓ）に対して磁気情報の読み取りを行う磁気ヘッド（１０Ａ）において、ケース（１４）の内部のコア（１１）の側方に磁性体（１５）を設ける。この磁性体（１５）は、外部からの電磁波および磁界を、コア（１１）に及ばないように偏在させる。
2014195993.tif 000002
【特許請求の範囲】
【請求項１】
コアと、
前記コアの周囲に配置されたコイルと、
前記コアおよび前記コイルを収容した金属製のケースと、を備え、
磁気記録媒体に対して磁気情報の読み取りまたは書き込みを行う磁気ヘッドにおいて、
前記ケースの内部の前記コアの側方に磁性体を設けた、ことを特徴とする磁気ヘッド。
【請求項２】
請求項１に記載の磁気ヘッドにおいて、
前記磁性体は、前記コアの厚み方向の側方に配置され、外部からの電磁波および磁界を、前記コアに及ばないように偏在させる、ことを特徴とする磁気ヘッド。
【請求項３】
請求項１または請求項２に記載の磁気ヘッドにおいて、
前記磁性体は、前記コアの両側方に設けられている、ことを特徴とする磁気ヘッド。
【請求項４】
請求項１または請求項２に記載の磁気ヘッドにおいて、
前記磁性体は、前記コアの一側方に設けられている、ことを特徴とする磁気ヘッド。
【請求項５】
請求項１ないし請求項４のいずれかに記載の磁気ヘッドにおいて、
前記磁性体は、前記コアの材質と同等以上の透磁率を有する材質で形成されている、ことを特徴とする磁気ヘッド。
【請求項６】
請求項１ないし請求項４のいずれかに記載の磁気ヘッドにおいて、
前記磁性体は、前記コアの材質より小さい透磁率を有する材質で形成されている、ことを特徴とする磁気ヘッド。
【請求項７】
請求項１ないし請求項６のいずれかに記載の磁気ヘッドにおいて、
前記磁性体は、前記コアの厚みと同等以上の厚みを有している、ことを特徴とする磁気ヘッド。
【請求項８】
請求項１ないし請求項６のいずれかに記載の磁気ヘッドにおいて、
前記磁性体は、前記コアの厚みより薄い厚みを有している、ことを特徴とする磁気ヘッド。
【請求項９】
請求項１ないし請求項８のいずれかに記載の磁気ヘッドにおいて、
前記磁性体は、前記コアと同一の側面形状を有している、ことを特徴とする磁気ヘッド。
【請求項１０】
請求項１ないし請求項８のいずれかに記載の磁気ヘッドにおいて、
前記磁性体は、前記コアと異なる側面形状を有している、ことを特徴とする磁気ヘッド。
【請求項１１】
請求項１ないし請求項１０のいずれかに記載の磁気ヘッドにおいて、
前記磁性体は、前記コアの体積と同等以上の体積を有している、ことを特徴とする磁気ヘッド。
【請求項１２】
請求項１ないし請求項１０のいずれかに記載の磁気ヘッドにおいて、
前記磁性体は、前記コアの体積より小さい体積を有している、ことを特徴とする磁気ヘッド。
【請求項１３】
請求項１ないし請求項１２のいずれかに記載の磁気ヘッドと、
磁気記録媒体が挿入される挿入口と、を備え、
前記挿入口から挿入された磁気記録媒体に対して、前記磁気ヘッドにより磁気情報の読み取りまたは書き込みを行う、ことを特徴とする磁気記録媒体処理装置。
【発明の詳細な説明】
【技術分野】
【０００１】
本発明は、磁気記録媒体に対して磁気情報の読み取りまたは書き込みを行う磁気ヘッドと、該磁気ヘッドを備えた磁気記録媒体処理装置に関し、特に、外部からの電磁波および磁界の影響を軽減する技術に関する。
【背景技術】
【０００２】
ＡＴＭ（Automated Teller Machine：現金自動預金支払機）やＣＤ（Cash Dispenser：現金自動支払機）などの取引処理装置には、磁気カードなどの磁気記録媒体を取り扱う磁気記録媒体処理装置が搭載されている。この磁気記録媒体処理装置の挿入口から、たとえば磁気カードが挿入されると、内部にある磁気ヘッドにより、磁気カードに対して磁気情報の読み取りまたは書き込みが行われる。【０００３】
磁気記録媒体処理装置では、外部で発生した電磁波や磁界の影響により、磁気ヘッドの読み取り信号にノイズが生じて、磁気カードに記録された磁気情報を判読できなくなったり、誤った磁気情報を判読したりしてしまうことがある。また、磁気ヘッドの書き込み信号にノイズが生じて、磁気カードに磁気情報を正常に書き込めないこともある。【０００４】
この対策として、従来の磁気ヘッドでは、外部からの電磁波や磁界の影響を遮蔽するため、コアとコアの周囲に巻回されたコイルなどを、パーマロイなどの金属製のケースに収容している。また、特許文献１では、磁気ヘッドの上下に金属製のシールド板を設けている。
【先行技術文献】
【特許文献】
【０００５】
【特許文献１】特開２００１−３０７０１８号公報
【発明の概要】
【発明が解決しようとする課題】
【０００６】
ＡＴＭやＣＤなどは、磁気記録媒体処理装置の他に、コンピュータ本体、液晶ディスプレイ、キーボード、およびプリンタなどの複数のユニットから構成されている。このうち、液晶ディスプレイなどは、周辺に電磁波や磁界を放射している。また、磁気記録媒体処理装置やプリンタなどに備わる搬送用モータも、周辺に電磁波や磁界を放射している。【０００７】
磁気記録媒体処理装置では、磁気記録媒体に記録された微弱な磁気情報を読み取ることができるように、感度の高い磁気ヘッドを用いることがある。この場合、コアやコイルを金属製のケースで覆っていても、液晶ディスプレイなどから放射された電磁波や磁界の影響を受けて、磁気情報の読み取りや書き込みの性能が劣化してしまう。【０００８】
また、構造上、磁気記録媒体と接触する磁気ヘッドの接触面には、コアが露出している。このため、特許文献１のように、磁気ヘッドの周囲にシールド板を設けても、外部からの電磁波や磁界がコアの露出部分から進入するので、それらの影響を受けて、性能が劣化してしまう。また、磁気ヘッドの周囲には、磁気カードなどの搬送路や搬送部材が配置されるため、磁気ヘッドを完全に覆うように、シールド板を設置するのは困難である。【０００９】
本発明の課題は、外部からの電磁波および磁界の影響を低減させて、性能を向上させることができる磁気ヘッドおよび磁気記録媒体処理装置を提供することである。
【課題を解決するための手段】
【００１０】
本発明では、コアと、コアの周囲に配置されたコイルと、コアおよびコイルを収容した金属製のケースとを備え、磁気記録媒体に対して磁気情報の読み取りまたは書き込みを行う磁気ヘッドにおいて、ケースの内部のコアの側方に磁性体を設けている。【００１１】
また、本発明による磁気記録媒体処理装置は、上記磁気ヘッドと、磁気記録媒体が挿入される挿入口とを備え、挿入口から挿入された磁気記録媒体に対して、磁気ヘッドにより磁気情報の読み取りまたは書き込みを行う。【００１２】
上記構成によると、磁気ヘッドの金属製のケース内におけるコアの側方に、磁性体が設けられているので、外部からの電磁波および磁界が、磁性体に引き寄せられるように偏在して、コアに及び難くなる。このため、磁気ヘッドおよび該磁気ヘッドを備えた磁気記録媒体処理装置において、ノイズの原因となる、外部からの電磁波および磁界の影響を低減させることができる。そしてこの結果、磁気記録媒体に対する磁気情報の読み取りや書き込みの性能を向上させることが可能となる。【００１３】
また、従来の磁気ヘッドのサイズやケースを変えることなく実現することができるため、既存の磁気記録媒体処理装置における磁気ヘッドを、本発明の磁気ヘッドに容易に置き換えることができる。さらに、磁気記録媒体処理装置を新規に設計する場合は、磁気ヘッドの周囲にシールド板などを設ける必要がないので、磁気記録媒体処理装置の設計自由度を向上させることができる。【００１４】
本発明では、上記磁気ヘッドにおいて、磁性体は、コアの厚み方向の側方に配置され、外部からの電磁波および磁界をコアに及ばないように偏在させてもよい。【００１５】
これにより、外部からの電磁波および磁界がコアに及び難くなるため、該電磁波および磁界が磁気ヘッドの性能に与える影響を一層低減させることができる。【００１６】
本発明では、上記磁気ヘッドにおいて、磁性体は、コアの両側方に設けられていてもよいし、または、コアの一側方に設けられていてもよい。【００１７】
磁性体をコアの両側方に設けた場合は、コアの一側方に設けた場合と比べて、外部からの電磁波および磁界を効果的に偏在させて、コアに及び難くすることができる。一方、磁性体をコアの一側方に設けた場合は、コアの両側方に設けた場合と比べて、磁気ヘッドの内部の構造を簡単にすることができる。【００１８】
本発明では、上記磁気ヘッドにおいて、磁性体は、コアの材質と同等以上の透磁率を有する材質で形成されていてもよいし、または、コアの材質より小さい透磁率を有する材質で形成されていてもよい。【００１９】
コアの材質と同等以上の透磁率を有する材質で磁性体を形成した場合は、コアの材質より小さい透磁率を有する材質で磁性体を形成した場合と比べて、外部からの電磁波および磁界を効果的に磁性体に引き寄せて、コアに及び難くすることができる。【００２０】
本発明では、上記磁気ヘッドにおいて、磁性体は、コアの厚みと同等以上の厚みを有していてもよいし、または、コアの厚みより薄い厚みを有していてもよい。【００２１】
磁性体の厚みをコアの厚みと同等以上の厚みにした場合は、コアの厚みより薄くした場合と比べて、外部からの電磁波および磁界を効果的に偏在させて、コアに及び難くすることができる。【００２２】
本発明では、上記磁気ヘッドにおいて、磁性体は、コアと同一の側面形状を有していてもよいし、または、コアと異なる側面形状を有していてもよい。【００２３】
コアと磁性体の側面形状を同一にする場合は、コアと同一の製造設備を用いて、磁性体を製造することができ、製造効率を向上させることが可能となる。【００２４】
さらに、本発明では、上記磁気ヘッドにおいて、磁性体は、コアの体積と同等以上の体積を有していてもよいし、または、コアの体積より小さい体積を有していてもよい。【００２５】
コアと同等以上の体積を有する磁性体を設けた場合は、コアより小さい体積を有する磁性体を設けた場合と比べて、外部からの電磁波および磁界を効果的に偏在させて、コアに及び難くすることができる。
【発明の効果】
【００２６】
本発明によれば、外部からの電磁波および磁界の影響を低減させて、性能を向上させることができる磁気ヘッドおよび磁気記録媒体処理装置を提供することが可能となる。
【図面の簡単な説明】
【００２７】
【図１】図１は、本発明の実施形態による磁気記録媒体処理装置の電気ブロック図である。
【図２】図２は、磁気カードを示した図である。
【図３】図３は、図１の磁気記録媒体処理装置の概略構造図である。
【図４】図４は、本発明の第１実施形態による磁気ヘッドの分解斜視図である。
【図５】図５は、図４の磁気ヘッドの組立工程図である。
【図６】図６は、図４の磁気ヘッドの周辺の電磁波および磁界の分布状態を示した図である。
【図７】図７は、本発明の第２実施形態による磁気ヘッドの分解斜視図である。
【図８】図８は、図７の磁気ヘッドの周辺の電磁波および磁界の分布状態を示した図である。
【図９】図９は、第３実施形態による磁気ヘッドの周辺の電磁波および磁界の分布状態を示した図である。
【図１０】図１０は、第４実施形態による磁気ヘッドの周辺の電磁波および磁界の分布状態を示した図である。
【図１１】図１１は、従来の磁気ヘッドの周辺の電磁波および磁界の分布状態を示した図である。
【発明を実施するための形態】
【００２８】
以下、本発明の実施形態につき、図面を参照しながら説明する。各図において、同一の部分または対応する部分には、同一符号を付してある。
【００２９】
まず、本発明の実施形態による磁気記録媒体処理装置１００の構成を、図１〜図３を参照しながら説明する。
【００３０】
図１は、磁気記録媒体処理装置１００の電気ブロック図である。図２は、磁気カード２０を示した図である。図３は、磁気記録媒体処理装置１００の概略構造図である。
【００３１】
図３中、矢印Ｆは前方向、矢印Ｂは後ろ方向、矢印Ｌは左方向、矢印Ｒは右方向、矢印Ｕは上方向、および矢印Ｄは下方向を示している（後述の図４〜図１１も同様）。なお、左方向Ｌは、後方（Ｂ側）から前方（Ｆ側）を見た場合の左方向であり、右方向Ｒは、後方（Ｂ側）から前方（Ｆ側）を見た場合の右方向である。
【００３２】
磁気記録媒体処理装置１００は、たとえば、金融機関に設置されたＡＴＭなどの取引処理装置に搭載される。磁気記録媒体処理装置１００は、顧客が所有する磁気カード２０（図２）を受け付けて、磁気カード２０の磁気ストライプ２０ｓに記録された磁気情報を読み取る磁気カードリーダから構成されている。
【００３３】
図２に示すように、磁気ストライプ２０ｓは、磁気カード２０の裏面２０ｂに設けられている。磁気カード２０は、本発明の「磁気記録媒体」の一例である。
【００３４】
図１に示すように、磁気記録媒体処理装置１００には、制御部２、磁気ストライプ検出センサ３、記憶部４、磁気ヘッド１０、カード搬送部５、カード位置検出センサ６、およびホストインタフェイス７が備わっている。
【００３５】
そのうち、磁気ストライプ検出センサ３は、図３（ａ）に示すように、磁気記録媒体処理装置１００の挿入口ユニット１ｂ内に設けられている。挿入口ユニット１ｂの前面には、磁気カード２０を挿入する挿入口１ｃが設けられている。
【００３６】
磁気記録媒体処理装置１００は、挿入口ユニット１ｂを前方（Ｆ方向）に向けて、取引処理装置のパネル２００の内側に設置される。挿入口１ｃは、パネル２００に設けられた開口２０１と連通する。また、挿入口１ｃは、図３（ｂ）に示すように、矩形状に形成されている。
【００３７】
制御部２、記憶部４、磁気ヘッド１０、カード搬送部５、カード位置検出センサ６、およびホストインタフェイス７は、磁気記録媒体処理装置１００の本体１ａ内に設けられている。
【００３８】
制御部２は、マイクロコンピュータから構成され、各部の動作を制御する。記憶部４は、メモリから構成され、各種の情報を記憶している。
【００３９】
磁気ストライプ検出センサ３は、小型の磁気ヘッドから構成されている。磁気ストライプ検出センサ３は、磁気情報の記録された磁気カード２０の磁気ストライプ２０ｓを検出する。制御部２は、磁気ストライプ検出センサ３の出力信号に基づいて、挿入口１ｃからの磁気カード２０の挿入を検知する。
【００４０】
カード搬送部５は、複数のローラ５ａ（図３）と、各ローラ５ａを回転させるためのモータや回路（図示省略）から構成されている。カード搬送部５は、本体１ａ内でローラ５ａ間に磁気カード２０を挟み込み、モータの駆動力でローラ５ａを回転させて、搬送路４０（図３）に沿って磁気カード２０を前後方向Ｆ、Ｂに往復搬送する。
【００４１】
磁気ヘッド１０は、本体１ａ内の搬送路４０より下側（Ｄ方向側）に固定されている。磁気カード２０がカード搬送部５によりＦ、Ｂ方向に搬送される際に、磁気カード２０の磁気ストライプ２０ｓと磁気ヘッド１０の接触面１０ｓが接触し、磁気ヘッド１０が磁気ストライプ２０ｓから磁気情報を読み取る。
【００４２】
つまり、磁気ヘッド１０は、磁気カード２０の磁気ストライプ２０ｓに記録された磁気情報を再生するためのものである。磁気ヘッド１０の詳細構造は後述する。
【００４３】
カード位置検出センサ６は、図３に示す、複数の透過型の光センサ６ａ〜６ｅから構成されている。各光センサ６ａ〜６ｅの受光部と投光部は、本体１ａ内で搬送路４０の上下（Ｕ、Ｄ方向側）に対向するように配置されている。制御部２は、各光センサ６ａ〜６ｅの出力信号に基づいて、挿入口ユニット１ｂや本体１ａ内における磁気カード２０の位置を検出する。
【００４４】
ホストインタフェイス７は、ＡＴＭに搭載されたホストコンピュータ（図示省略）に対して情報を送受信する回路から構成されている。
【００４５】
次に、第１実施形態の磁気ヘッド１０Ａの構造を、図４〜図６を参照しながら説明する。
【００４６】
図４は、磁気ヘッド１０Ａの分解斜視図である。図５は、磁気ヘッド１０Ａの組立工程図である。図６では、磁気ヘッド１０Ａの平面図を（ａ）に示し、正面図を（ｂ）に示し、側面図を（ｃ）に示している。
【００４７】
磁気ヘッド１０Ａは、図１および図３に示した磁気ヘッド１０を構成するものである（後述の磁気ヘッド１０Ｂ、１０Ｃ、１０Ｄも同様）。磁気ヘッド１０Ａは、たとえば、磁気カード２０の磁気ストライプ２０ｓに設けられた２つのトラックから磁気情報を読み取る、２チャンネル再生型の磁気ヘッドから成る。
【００４８】
図４に示すように、磁気ヘッド１０Ａには、コア１１、コイル１２、ホルダ１３、ケース１４、および磁性体１５が備わっている。
【００４９】
図５（ａ）に示すように、コア１１は、２つ設けられている。各コア１１は、図４に示すように、２個１対のコア片１１ａから成る。各コア片１１ａは、たとえば、フェライトまたはパーマロイなどの磁性材料により形成されている。
【００５０】
コイル１２は、２つ設けられている。各コイル１２は、ボビン１２ｂと、ボビン１２ｂの周囲に巻回された巻線１２ａとから成る。ボビン１２ｂは、合成樹脂の成型品である。巻線１２ａは、たとえば、銅線などから成る。
【００５１】
ホルダ１３は、合成樹脂製で、２つ設けられている。各ホルダ１３には、３つの溝部１３ａがそれぞれ形成されている。
【００５２】
磁性体１５は、３つ設けられている。磁性体１５は、たとえば、パーマロイ、センダスト、フェライト、珪素鋼鈑、鉄、アルミニウム、またはステンレスなどの磁性材料により、板状に形成されている。
【００５３】
磁性体１５の材質は、コア１１の材質と同等以上の透磁率を有する材質であってもよいし、または、コア１１の材質より小さい透磁率を有する材質であってもよい。各磁性体１５の材質は、同一である。
【００５４】
図６（ａ）に示すように、磁性体１５のＬ、Ｒ方向の厚みは、コア１１のＬ、Ｒ方向の厚みより薄くなっている。また、コア１１と磁性体１５を厚み方向（Ｌ、Ｒ方向）に見た場合、磁性体１５は、コア１１と異なる側面形状を有していて、該側面の面積は、コア１１より大きくなっている（図６（ｂ）参照）。さらに、磁性体１５の体積は、コア１１の体積より大きくなっている。図６では、コイル１２とホルダ１３の図示を省略している（後述の図８〜図１１も同様）。
【００５５】
ケース１４は、１つ設けられている。ケース１４は、たとえば、鉄、ステンレス、アルミニウム、パーマロイ、フェライト、または珪素鋼鈑などの磁性材料からなる金属製のケースであって、箱状に形成されている。ケース１４の上部には、矩形孔状の開口部１４ａが２つ形成されている。ケース１４の内部には、コア１１、コイル１２、ホルダ１３、および磁性体１５が収容される。
【００５６】
図５（ａ）および図６（ｂ）に示すように、１対のコア片１１ａを組み合わせることにより、コア１１は矩形環状に形成される。そのコア１１の組立時に、１対のコア片１１ａの水平部１１ｃ（図４）を、ボビン１２ｂの軸方向（Ｆ、Ｂ方向）の両側から中空部１２ｃ（図４）にそれぞれ挿入する。
【００５７】
これにより、図５（ａ）に示すように、コア１１の水平部１１ｃの周囲にコイル１２が配置される。また、コア１１の上部、すなわち１対のコア片１１ａの上部１１ｂの間に、所定の大きさのギャップが設けられる（図６（ｂ）も参照）。
【００５８】
図５（ａ）に示すように、コア１１とコイル１２を組み合わせたものを、２組だけコイル１２の軸方向（Ｆ、Ｂ方向）に対して垂直な方向、すなわちコア１１の厚み方向（Ｌ、Ｒ方向）に並べる。そして、図５（ａ）で、左側にあるコア１１の左側方（Ｌ方向側）と、右側にあるコア１１の右側方（Ｒ方向側）と、両コア１１の間に、それぞれ磁性体１５を配置する。つまり、コア１１およびコイル１２と、磁性体１５とを、コア１１と磁性体１５の厚み方向（Ｌ、Ｒ方向）に交互に並べる。
【００５９】
次に、図５（ｂ）に示すように、各ホルダ１３の中央の溝部１３ａに、中央の磁性体１５の両側端部を係合させる。また、各ホルダ１３の左右の溝部１３ａに、左右の磁性体１５の両側端部を係合させる。
【００６０】
そして、コア１１、コイル１２、磁性体１５、およびホルダ１３を、ケース１４の下方（Ｄ方向側）から内部に収容して、ケース１４の下方を図示しないカバーにより塞ぐ。
【００６１】
これにより、ケース１４内でコア１１、コイル１２、磁性体１５、およびホルダ１３が固定される。また、ケース１４内で各コア１１の厚み方向の両側方、すなわち各コア１１のＬ方向側とＲ方向側に、磁性体１５がそれぞれ配置される（図６（ａ）および（ｃ）参照）。つまり、ケース１４内で各コア１１が磁性体１５に挟み込まれた状態となる。
【００６２】
また、図５（ｃ）に示すように、ケース１４の各開口部１４ａから、各コア１１の上部１１ｂが突出する。各コイル１２の巻線１２ａの両端に接続されたリード端子は、図示しないカバーに設けられた孔から引き出される（図示省略）。
【００６３】
この後、各コア１１の上部１１ｂとケース１４の上部が研磨され、図６（ｂ）および（ｃ）に示すように、各コア１１の上面とケース１４の上面が面一になる。このコア１１およびケース１４の上面は、磁気カード２０の磁気ストライプ２０ｓと接触する、磁気ヘッド１０Ａの接触面１４ｓとなる。ケース１４の各開口部１４ａは、各コア１１により塞がれる（図６（ａ）および（ｃ）参照）。
【００６４】
上記のように製造された磁気ヘッド１０Ａは、図３（ａ）における磁気ヘッド１０の位置、すなわち、磁気記録媒体処理装置１００の本体１ａ内の搬送路４０より下方にある所定の位置に固定される。その際、磁気ヘッド１０Ａの接触面１４ｓが上向きで、かつ各コイル１２の軸方向が磁気カード２０の搬送方向（Ｆ、Ｂ方向）と平行になるように、磁気ヘッド１０Ａは固定される。また、磁気ヘッド１０Ａは、図示しないリード端子などを介して、制御部２（図１）に電気的に接続される。
【００６５】
これにより、磁気カード２０が磁気ヘッド１０Ａ上を通過する際に、磁気ストライプ２０ｓが磁気ヘッド１０Ａの接触面１４ｓに接触する。そして、磁気ストライプ２０ｓに記録された磁気情報に応じて、コア１１の磁界が変化して、コイル１２に流れる電流の向きも変化する。制御部２は、そのコイル１２に流れる電流の向きの変化に基づいて、磁気ストライプ２０ｓに記録された磁気情報を判読する。
【００６６】
次に、外部で発生した電磁波および磁界の、磁気ヘッド１０Ａ周辺での分布状態を、図６を参照しながら説明する。また、比較のため、従来の磁気ヘッド９０の場合も、図１１を参照しながら説明する。
【００６７】
図６および図１１では、外部からの電磁波および磁界の磁力線を点線で示している（後述の図８〜図１０も同様）。また、図１１では、従来の磁気ヘッド９０の平面図を（ａ）に示し、正面図を（ｂ）に示し、側面図を（ｃ）に示している。
【００６８】
外部からの電磁波および磁界は、金属製のケース１４である程度遮蔽されるが、一部は、ケース１４を透過したり、ケース１４の開口部１４ａを通過したりして、内部に進入する。
【００６９】
図１１に示すように、内部に磁性体１５を設けていない従来の磁気ヘッド９０の場合、ケース１４内に進入した電磁波および磁界は、図１１（ａ）および（ｃ）に点線で示すように、磁性材料からなるコア１１を透過し、コイル（図示省略）に起電力を発生させる。これにより、磁気カード２０の磁気情報の読み取り時に、読み取り信号にノイズが重畳して、磁気ヘッド９０の読み取り性能が劣化してしまう。
【００７０】
これに対し、図６に示す磁気ヘッド１０Ａの場合は、ケース１４内に進入した電磁波および磁界は、図６（ａ）および（ｃ）に点線で示すように、コア１１の両側にある磁性体１５に引き寄せられるように偏在し、コア１１に及びにくくなる。これにより、外部からの電磁波および磁界によりコイル１２（図４）に発生する起電力が低減され、磁気カード２０の磁気情報の読み取り時に、読み取り信号に重畳するノイズが減少して、Ｓ／Ｎ比が向上する。
【００７１】
つまり、上記第１実施形態の磁気ヘッド１０Ａおよび該磁気ヘッド１０Ａを備えた磁気記録媒体処理装置１００において、ノイズの原因となる、外部からの電磁波および磁界の影響を低減させることができる。そしてこの結果、磁気カード２０に対する磁気情報の読み取り性能を向上させることが可能となる。
【００７２】
また、コア１１を挟むように磁性体１５をケース１４内に設けているので、磁気ヘッド１０Ａのサイズやケース１４を従来のものと変えることなく実現することができる。この結果、既存の磁気記録媒体処理装置に備わる磁気ヘッドを、本第１実施形態の磁気ヘッド１０Ａに容易に置き換えることが可能となる。
【００７３】
また、磁気記録媒体処理装置１００を新規に設計する場合は、磁気ヘッド１０Ａの周囲にシールド板などを設ける必要がないので、磁気記録媒体処理装置１００の設計自由度を向上させることができる。
【００７４】
また、上記第１実施形態では、磁性体１５をコア１１の厚み方向の側方（Ｌ、Ｒ方向側）に設けている。このため、たとえば磁性体１５をコイル１２のＦ、Ｂ方向側やＵ、Ｄ方向側に配置するより、外部からの電磁波および磁界をコア１１に及び難くして、磁気ヘッド１０Ａの性能に与える影響を一層低減させることができる。
【００７５】
また、上記第１実施形態では、磁性体１５をコア１１の両側方（Ｌ、Ｒ方向側）に設けているので、たとえば磁性体１５をコア１１の一側方に設けるより、外部からの電磁波および磁界を効果的に偏在させて、コア１１に及び難くすることができる。
【００７６】
また、コア１１の材質と同等以上の透磁率を有する材質で磁性体１５を形成することにより、コア１１の材質より小さい透磁率を有する材質で磁性体１５を形成する場合と比べて、外部からの電磁波および磁界を効果的に磁性体に引き寄せて、コア１１に及び難くすることができる。
【００７７】
さらに、磁性体１５の体積をコア１１の体積と同等以上とすることにより、コア１１より小さい体積を有する磁性体を設ける場合と比べて、外部からの電磁波および磁界を効果的に偏在させて、コア１１に及び難くすることができる。
【００７８】
次に、第２実施形態の磁気ヘッド１０Ｂの構造を、図７および図８を参照しながら説明する。
【００７９】
図７は、磁気ヘッド１０Ｂの分解斜視図である。図８では、磁気ヘッド１０Ｂの平面図を（ａ）に示し、正面図を（ｂ）に示し、側面図を（ｃ）に示している。
【００８０】
磁気ヘッド１０Ｂは、２チャンネル再生型の磁気ヘッドから成る。図７に示すように、磁気ヘッド１０Ｂには、コア１１、コイル１２、ホルダ１３、ケース１４、および磁性体１６が備わっている。このうち、磁性体１６以外は、第１実施形態で説明したものと同一であるので、説明を省略する。
【００８１】
図８（ａ）に示すように、磁性体１６は、２つ設けられている。各磁性体１６は、図７に示すように、２個１対の磁性片１６ａから成る。各磁性片１６ａは、たとえば、パーマロイ、センダスト、フェライト、珪素鋼鈑、鉄、アルミニウム、またはステンレスなどの磁性材料により形成されている。
【００８２】
磁性体１６の材質は、コア１１の材質と同等以上の透磁率を有する材質であってもよいし、または、コア１１の材質より小さい透磁率を有する材質であってもよい。各磁性体１６の材質は、同一である。
【００８３】
図７および図８に示すように、磁性体１６のＬ、Ｒ方向の厚みは、コア１１のＬ、Ｒ方向の厚みより厚くなっている。また、コア片１１ａと磁性片１６ａを厚み方向（Ｌ、Ｒ方向）に見た場合、同一形状になっている。つまり、磁性体１６は、コア１１と同一の側面形状を有している（図７参照）。さらに、磁性体１６の体積は、コア１１の体積より大きくなっている。
【００８４】
前述したように、コア１１とコイル１２を組み合わせたものを、２組だけコイル１２の軸方向（Ｆ、Ｂ方向）に対して垂直な方向、すなわちコア１１の厚み方向（Ｌ、Ｒ方向）に並べる。また、磁性片１６ａ同士を組み合わせることにより、２つの磁性体１６をそれぞれ矩形環状に形成する。そして、図７で、左側にあるコア１１の左側方（Ｌ方向側）と、右側にあるコア１１の右側方（Ｒ方向側）に、磁性体１６をそれぞれ配置する。
【００８５】
そして、各ホルダ１３の左右の溝部１３ａに、各磁性体１６と各コア１１の両側端部を係合させる。この後、コア１１、コイル１２、磁性体１６、およびホルダ１３を、ケース１４の下方（Ｄ方向側）から内部に収容して、ケース１４の下方を図示しないカバーにより塞ぐ。この際、ケース１４内に収まるように、各磁性片１６ａの上部を削ればよい。
【００８６】
これにより、ケース１４内でコア１１、コイル１２、磁性体１６、およびホルダ１３が固定される。また、ケース１４内で各コア１１の一側方（ケース１４側）に磁性体１６が配置され、コア１１の間には磁性体１６が無い状態となる。つまり、ケース１４内で各コア１１が磁性体１６に挟み込まれた状態となる。
【００８７】
この後、前述したように、各コア１１の上部１１ｂとケース１４の上部が研磨され、磁気ヘッド１０Ｂの接触面１０ｓが形成される（図８参照）。そして、磁気ヘッド１０Ｂは、前述の磁気ヘッド１０Ａと同様に、磁気記録媒体処理装置１００の本体１ａ内に設置される。
【００８８】
次に、外部で発生した電磁波および磁界の、磁気ヘッド１０Ｂ周辺での分布状態を、図８を参照しながら説明する。
【００８９】
前述したように、外部からの電磁波および磁界は、磁気ヘッド１０Ｂのケース１４である程度遮蔽されるが、一部は、ケース１４を透過したり、ケース１４の開口部１４ａを通過したりして、内部に進入する。
【００９０】
ケース１４内に進入した電磁波および磁界は、図８（ａ）および（ｃ）に点線で示すように、コア１１の側方にある磁性体１６に引き寄せられるように偏在し、コア１１に及びにくくなる。これにより、外部からの電磁波および磁界によりコイル１２（図７）に発生する起電力が低減され、磁気カード２０の磁気情報の読み取り時に、読み取り信号に重畳するノイズが減少して、Ｓ／Ｎ比が向上する。
【００９１】
つまり、上記第２実施形態の磁気ヘッド１０Ｂおよび該磁気ヘッド１０Ｂを備えた磁気記録媒体処理装置１００において、ノイズの原因となる、外部からの電磁波および磁界の影響を低減させることができる。そしてこの結果、磁気カード２０に対する磁気情報の読み取り性能を向上させることが可能となる。
【００９２】
また、コア１１を挟むように磁性体１６をケース１４内に設けているので、磁気ヘッド１０Ｂのサイズやケース１４を従来のものと変えることなく実現することができる。この結果、既存の磁気記録媒体処理装置に備わる磁気ヘッドを、本第２実施形態の磁気ヘッド１０Ｂに容易に置き換えることが可能となる。
【００９３】
また、上記第２実施形態では、磁性体１６をコア１１の一側方（Ｌ方向側またはＲ方向側）に設けているので、第１実施形態のように磁性体１５をコア１１の両側方に設けるより、磁気ヘッド１０Ｂの内部の構造を簡単にすることができる。
【００９４】
また、上記第２実施形態では、磁性体１６の厚みを、コア１１の厚みと同等以上の厚みにしているので、コア１１の厚みより薄くする場合と比べて、外部からの電磁波および磁界を効果的に偏在させて、コア１１に及び難くすることができる。
【００９５】
さらに、上記第２実施形態では、磁性体１６を構成する磁性片１６ａの側面形状を、コア１１を構成するコア片１１ａの側面形状と同一にしているので、コア片１１ａと同一の製造設備を用いて、磁性片１６ａを製造することができ、製造効率を向上させることが可能となる。
【００９６】
本発明は、以上述べた実施形態以外にも、種々の実施形態を採用することができる。たとえば、以上の実施形態では、コア１１の体積より大きな体積を有する磁性体１５、１６をケース１４内に設けた例を示したが、本発明はこれのみに限定するものではない。これ以外に、たとえば、図９に示す第３実施形態の磁気ヘッド１０Ｃのように、コア１１の体積より小さな体積を有する磁性体１７、１８をケース１４内に設けてもよい。
【００９７】
また、たとえば、図１０に示す第４実施形態の磁気ヘッド１０Ｄのように、コア１１の厚みおよび体積と同等の厚みおよび体積を有する磁性体１９をケース１４内に設けてもよい。
【００９８】
上記のようにしても、外部からの電磁波および磁界の影響を低減させることができ、この結果、磁気カード２０に対する磁気情報の読み取り性能を向上させることが可能となる。
【００９９】
また、第１、第２、および第４実施形態では、各磁性体１５、１６、１９の側面の面積、厚み、および体積を同一にした例を示したが、本発明はこれのみに限定するものではない。これ以外に、たとえば、図９に示す第３実施形態の磁気ヘッド１０Ｃのように、各コア１１のケース１４側に配置される磁性体１７と、各コア１１の間に配置される磁性体１８とは、側面の面積、厚み、または体積が異なっていてもよい。
【０１００】
この場合、各コア１１の間の磁性体１８の側面の面積、厚み、または体積より、各コア１１のケース１４側の磁性体１７の側面の面積、厚み、または体積を大きくした方が、外部からの電磁波および磁界の影響を効果的に低減させることができる。
【０１０１】
また、第１および第２実施形態では、各磁性体１５、１６を同一の材質で形成した例を挙げたが、本発明はこれのみに限定するものではない。これ以外に、たとえば、各コア１１のケース１４側に配置される磁性体と、各コア１１の間に配置される磁性体とは、材質が異なっていてもよい。
【０１０２】
この場合、各コア１１の間の磁性体の材質の透磁率より大きい透磁率を有する材質で、各コア１１のケース１４側の磁性体を形成した方が、外部からの電磁波および磁界の影響を効果的に低減させることができる。
【０１０３】
また、以上の実施形態では、コア１１とコイル１２を２つずつ備え、磁気カード２０の磁気ストライプ２０ｓから磁気情報を読み取る磁気ヘッド１０（１０Ａ〜１０Ｄ）に、本発明を適用した例を示した。然るに、本発明はこれ以外に、たとえば、コアとコイルを１つまたは３つ以上ずつ備えた磁気ヘッドにも、適用することが可能である。
【０１０４】
また、以上の実施形態では、図５（ａ）に示したように、コア１１の水平部１１ｃの周囲にコイル１２を配置した例を挙げたが、本発明はこれのみに限定するものではない。これ以外に、たとえば、コア１１の垂直部１１ｄ（図５（ａ））の周囲にコイルを配置してもよい。この場合、いずれか一方の垂直部１１ｄにコイルを配置してもよいし、両方の垂直部１１ｄにコイルを配置してもよい。また、コア１１の水平部１１ｃと垂直部１１ｄの両方に渡ってコイルを配置してもよい。
【０１０５】
また、たとえば、磁気カードや通帳などの磁気記録媒体の磁気記録部に対して磁気情報の読み取りと書き込みの少なくとも一方を行う磁気ヘッドにも、本発明を適用することは可能である。磁気記録媒体に磁気情報の書き込みを行う磁気ヘッドに本発明を適用した場合、該書き込みの性能を向上させることが可能となる。
【０１０６】
さらに、たとえば、磁気ストライプ検出センサ３を構成する小型の磁気ヘッドにも、本発明を適用することは可能である。
【０１０７】
さらに、以上の実施形態では、磁気ストライプ２０ｓが裏面２０ｂに設けられた磁気カード２０を取り扱う磁気記録媒体処理装置１００に、本発明を適用した例を示した。然るに、本発明はこれ以外にも、たとえば、磁気ストライプが表面と裏面の少なくとも一方に設けられた磁気カードを取り扱う磁気記録媒体処理装置にも、適用することが可能である。
【０１０８】
また、磁気カードだけに限らず、磁気ストライプを備えた磁気ＩＣカードや通帳などのような磁気記録媒体に対して、磁気ヘッドにより磁気情報の読み取りと書き込みの少なくとも一方を行う磁気記録媒体処理装置にも、本発明を適用することは可能である。
【産業上の利用可能性】
【０１０９】
本発明は、ＡＴＭやＣＤなどの取引処理装置に搭載されるカードリーダ、カードリーダライタ、もしくは通帳リーダ、またはカード認証端末に搭載されるカードリーダなど、磁気記録媒体に対して磁気情報の読み取りまたは書き込みを行う磁気記録媒体処理装置全般に利用することができる。
【符号の説明】
【０１１０】
１ｃ  挿入口
１１  コア
１２  コイル
１４  ケース
１５、１６、１７、１８、１９  磁性体
１０、１０Ａ、１０Ｂ、１０Ｃ、１０Ｄ  磁気ヘッド
２０  磁気カード
１００  磁気記録媒体処理装置
Ｌ、Ｒ  コアの厚み方向
【図１】
2014195993.tif 000003
【図２】
2014195993.tif 000004
【図３】
2014195993.tif 000005
【図４】
2014195993.tif 000006
【図５】
2014195993.tif 000007
【図６】
2014195993.tif 000008
【図７】
2014195993.tif 000009
【図８】
2014195993.tif 000010
【図９】
2014195993.tif 000011
【図１０】
2014195993.tif 000012
【図１１】
2014195993.tif 000013
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
コアと、
前記コアの周囲に配置されたコイルと、
前記コアおよび前記コイルを収容した金属製のケースと、を備え、
磁気記録媒体に対して磁気情報の読み取りまたは書き込みを行う磁気ヘッドにおいて、
前記ケースの内部の前記コアの側方に、前記コアの材質と同等以上の透磁率を有する材質で形成された磁性体を設けた、ことを特徴とする磁気ヘッド。
【請求項２】
コアと、
前記コアの周囲に配置されたコイルと、
前記コアおよび前記コイルを収容した金属製のケースと、を備え、
磁気記録媒体に対して磁気情報の読み取りまたは書き込みを行う磁気ヘッドにおいて、
前記ケースの内部の前記コアの側方に、磁気記録媒体の搬送される方向の長さが前記コアよりも長い磁性体を設けた、ことを特徴とする磁気ヘッド。
【請求項３】
コアと、
前記コアの周囲に配置されたコイルと、
前記コアおよび前記コイルを収容した金属製のケースと、を備え、
磁気記録媒体に対して磁気情報の読み取りまたは書き込みを行う磁気ヘッドにおいて、
前記ケースの内部の前記コアの側方に磁性体を設け、
前記磁性体は、前記コアの材質と同等以上の透磁率を有する材質で形成され、かつ、磁気記録媒体の搬送される方向の長さが前記コアよりも長い、ことを特徴とする磁気ヘッド。
【請求項４】
請求項１ないし請求項３のいずれかに記載の磁気ヘッドにおいて、
前記磁性体は、前記コアの厚み方向の側方に配置され、外部からの電磁波および磁界を、前記コアに及ばないように偏在させる、ことを特徴とする磁気ヘッド。
【請求項５】
請求項１ないし請求項４のいずれかに記載の磁気ヘッドにおいて、
前記磁性体は、前記コアの両側方に設けられている、ことを特徴とする磁気ヘッド。
【請求項６】
請求項５に記載の磁気ヘッドにおいて、
前記コアは、第１のコアと、第２のコアとからなり、
前記磁性体は、
前記ケースと前記第１のコアとの間に配置された第１の磁性体と、
前記第１のコアと前記第２のコアとの間に配置された第２の磁性体と、
前記第１の磁性体と反対側で前記ケースと前記第２のコアとの間に配置された第３の磁性体と、
からなる、ことを特徴とする磁気ヘッド。
【請求項７】
請求項６に記載の磁気ヘッドにおいて、
前記第１の磁性体および前記第３の磁性体の側面の面積、厚み、または体積は、それぞれ、前記第２の磁性体の側面の面積、厚み、または体積より大きい、ことを特徴とする磁気ヘッド。
【請求項８】
請求項６または請求項７に記載の磁気ヘッドにおいて、
前記第１の磁性体および前記第３の磁性体の材質の透磁率は、前記第２の磁性体の材質の透磁率より大きい、ことを特徴とする磁気ヘッド。
【請求項９】
請求項１ないし請求項８のいずれかに記載の磁気ヘッドにおいて、
前記磁性体は、前記コアの体積と同等以上の体積を有している、ことを特徴とする磁気ヘッド。
【請求項１０】
コアと、
前記コアの周囲に配置されたコイルと、
前記コアおよび前記コイルを収容した金属製のケースと、を備え、
磁気記録媒体に対して磁気情報の読み取りまたは書き込みを行う磁気ヘッドにおいて、
前記ケースの内部で前記コアの厚み方向の側方に配置され、外部からの電磁波および磁界を、前記コアに及ばないように偏在させる磁性体を設け、
前記磁性体は、前記コアと同一の側面形状を有し、前記コアよりも厚く形成されている、ことを特徴とする磁気ヘッド。
【請求項１１】
請求項１０に記載の磁気ヘッドにおいて、
前記磁性体は、２つの磁性片を組み合わせることにより、矩形環状に形成されている、ことを特徴とする磁気ヘッド。
【請求項１２】
請求項１ないし請求項１１のいずれかに記載の磁気ヘッドと、
磁気記録媒体が挿入される挿入口と、を備え、
前記挿入口から挿入された磁気記録媒体に対して、前記磁気ヘッドにより磁気情報の読み取りまたは書き込みを行う、ことを特徴とする磁気記録媒体処理装置。
【請求項１３】
（削除）
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
第１のコアと、第２のコアとからなるコアと、
前記コアの周囲に配置されたコイルと、
前記コアおよび前記コイルを収容した金属製のケースと、を備え、
磁気記録媒体に対して磁気情報の読み取りまたは書き込みを行う磁気ヘッドにおいて、
前記ケースの内部の前記コアの側方に、前記コアの材質と同等以上の透磁率を有する材質で形成された磁性体を設け、
前記磁性体は、
前記ケースと前記第１のコアとの間に配置された第１の磁性体と、
前記第１のコアと前記第２のコアとの間に配置された第２の磁性体と、
前記第１の磁性体と反対側で前記ケースと前記第２のコアとの間に配置された第３の磁性体と、
からなり、前記コアの両側方に設けられており、
前記第１の磁性体および前記第３の磁性体の側面の面積、厚み、または体積は、それぞれ、前記第２の磁性体の側面の面積、厚み、または体積より大きい、ことを特徴とする磁気ヘッド。
【請求項２】
第１のコアと、第２のコアとからなるコアと、
前記コアの周囲に配置されたコイルと、
前記コアおよび前記コイルを収容した金属製のケースと、を備え、
磁気記録媒体に対して磁気情報の読み取りまたは書き込みを行う磁気ヘッドにおいて、
前記ケースの内部の前記コアの側方に、磁気記録媒体の搬送される方向の長さが前記コアよりも長い磁性体を設け、
前記磁性体は、
前記ケースと前記第１のコアとの間に配置された第１の磁性体と、
前記第１のコアと前記第２のコアとの間に配置された第２の磁性体と、
前記第１の磁性体と反対側で前記ケースと前記第２のコアとの間に配置された第３の磁性体と、
からなり、前記コアの両側方に設けられており、
前記第１の磁性体および前記第３の磁性体の側面の面積、厚み、または体積は、それぞれ、前記第２の磁性体の側面の面積、厚み、または体積より大きい、ことを特徴とする磁気ヘッド。
【請求項３】
第１のコアと、第２のコアとからなるコアと、
前記コアの周囲に配置されたコイルと、
前記コアおよび前記コイルを収容した金属製のケースと、を備え、
磁気記録媒体に対して磁気情報の読み取りまたは書き込みを行う磁気ヘッドにおいて、
前記ケースの内部の前記コアの側方に磁性体を設け、
前記磁性体は、
前記ケースと前記第１のコアとの間に配置された第１の磁性体と、
前記第１のコアと前記第２のコアとの間に配置された第２の磁性体と、
前記第１の磁性体と反対側で前記ケースと前記第２のコアとの間に配置された第３の磁性体と、
からなり、
前記第１の磁性体および前記第３の磁性体の側面の面積、厚み、または体積は、それぞれ、前記第２の磁性体の側面の面積、厚み、または体積より大きく、
前記磁性体は、
前記コアの材質と同等以上の透磁率を有する材質で形成され、かつ、磁気記録媒体の搬送される方向の長さが前記コアよりも長く、前記コアの両側方に設けられている、ことを特徴とする磁気ヘッド。
【請求項４】
請求項１ないし請求項３のいずれか１項に記載の磁気ヘッドにおいて、
前記磁性体は、前記コアの厚み方向の側方に配置され、外部からの電磁波および磁界を、前記コアに及ばないように偏在させる、ことを特徴とする磁気ヘッド。
【請求項５】
請求項１ないし請求項４のいずれか１項に記載の磁気ヘッドにおいて、
前記第１の磁性体および前記第３の磁性体の材質の透磁率は、前記第２の磁性体の材質の透磁率より大きい、ことを特徴とする磁気ヘッド。
【請求項６】
請求項１ないし請求項５のいずれか１項に記載の磁気ヘッドにおいて、
前記磁性体は、前記コアの体積と同等以上の体積を有している、ことを特徴とする磁気ヘッド。
【請求項７】
第１のコアと、第２のコアとからなるコアと、
前記コアの周囲に配置されたコイルと、
前記コアおよび前記コイルを収容した金属製のケースと、を備え、
磁気記録媒体に対して磁気情報の読み取りまたは書き込みを行う磁気ヘッドにおいて、
前記ケースの内部で前記コアの厚み方向の側方に配置され、外部からの電磁波および磁界を、前記コアに及ばないように偏在させる磁性体を設け、
前記磁性体は、
前記ケースと前記第１のコアとの間に配置された第１の磁性体と、
前記第１のコアと前記第２のコアとの間に配置された第２の磁性体と、
前記第１の磁性体と反対側で前記ケースと前記第２のコアとの間に配置された第３の磁性体と、
からなり、
前記第１の磁性体および前記第３の磁性体の側面の面積、厚み、または体積は、それぞれ、前記第２の磁性体の側面の面積、厚み、または体積より大きく、
前記磁性体は、前記コアと同一の側面形状を有し、前記コアよりも厚く形成されており、前記コアの両側方に設けられている、ことを特徴とする磁気ヘッド。
【請求項８】
請求項７に記載の磁気ヘッドにおいて、
前記磁性体は、２つの磁性片を組み合わせることにより、矩形環状に形成されている、ことを特徴とする磁気ヘッド。
【請求項９】
請求項１ないし請求項８のいずれか１項に記載の磁気ヘッドと、
磁気記録媒体が挿入される挿入口と、を備え、
前記挿入口から挿入された磁気記録媒体に対して、前記磁気ヘッドにより磁気情報の読み取りまたは書き込みを行う、ことを特徴とする磁気記録媒体処理装置。
【国際調査報告】
2014195993.tif 000014
2014195993.tif 000015
2014195993.tif 000016
2014195993.tif 000017